(57)【要約】【課題】  秘密を保持したい画像については、特定の操作者に限り特定の表示部材において視認することができる撮像装置を提供する。【解決手段】  操作者と、画像を表示する表示部材との組合せに応じて画像再生の可否を規定するセキュリティ情報が付加された画像データを記憶する画像記憶部３４と、操作者を識別する識別部７と、前記画像データを表示する表示部材を指定する表示部材指定部５と、前記識別部により識別された操作者及び前記表示部材指定部により指定された前記表示部材に基づき前記セキュリティ情報を参照して、前記画像データに基づく画像の表示の可否を判定する表示判定部３０と、前記表示判定部による判定結果に基づいて前記画像データに基づく画像の前記表示部材指定部により指示された前記表示部材に対する表示制御を行う表示制御部３６とを備える。【選択図】  図２
2011091741.tif 000002
【特許請求の範囲】
【請求項１】
操作者と、画像を表示する表示部材との組合せに応じて画像再生の可否を規定するセキュリティ情報が付加された画像データを記憶する画像記憶部と、
操作者を識別する識別部と、
前記画像データを表示する表示部材を指定する表示部材指定部と、
前記識別部により識別された操作者及び前記表示部材指定部により指定された前記表示部材に基づき前記セキュリティ情報を参照して、前記画像データに基づく画像の表示の可否を判定する表示判定部と、
前記表示判定部による判定結果に基づいて前記画像データに基づく画像の前記表示部材指定部により指示された前記表示部材に対する表示制御を行う表示制御部と、
を備えることを特徴とする撮像装置。
【請求項２】
前記表示部材は、前記画像データを前記操作者のみが視認可能に表示する第１表示部材と、前記画像データを前記操作者及び他者が視認可能に表示する第２表示部材とを備えることを特徴とする請求項１記載の撮像装置。
【請求項３】
前記第１表示部材は、接眼式電子ビューファインダであることを特徴とする請求項２記載の撮像装置。
【請求項４】
前記表示部材は、視野角を狭く設定した場合に前記第１表示部材として用い、視野角を広く設定した場合に前記第２表示部材として用いる視野角切り換え可能な表示部材であることを特徴とする請求項２記載の撮像装置。
【請求項５】
被写体の撮像を行う撮像部を備え、
前記識別部により、撮像を行った操作者が予め登録されていない未登録操作者であると識別された場合には、前記撮像部により出力される撮像信号に基づく画像データに、操作者にかかわらず全ての前記表示部材において表示可能である旨の前記セキュリティ情報を付加することを特徴とする請求項１〜４の何れか一項に記載の撮像装置。
【請求項６】
被写体の撮像を行う撮像部を備え、
前記識別部により、撮像を行った操作者が予め登録されている登録操作者であると識別された場合には、前記撮像部により出力される撮像信号に基づく画像データに、前記登録操作者が撮像の際に前記被写体の確認に用いた前記表示部材においてのみ表示可能である旨の前記セキュリティ情報を付加することを特徴とする請求項１〜４の何れか一項に記載の撮像装置。
【請求項７】
前記表示判定部において、前記表示部材指定部により指定された前記表示部材に対する前記画像の表示ができないと判定された場合には、該表示部材に警告表示を行うことを特徴する請求項１〜６の何れか一項に記載の撮像装置。
【発明の詳細な説明】
【技術分野】
【０００１】
本発明は、撮像装置に関するものである。
【背景技術】
【０００２】
撮影者の人体情報により、他人による不正使用及び他人による撮影画像の参照を防ぐことができるデジタルカメラが存在する（例えば、特許文献１参照）。このデジタルカメラにおいては、撮影画像を参照する場合には、液晶ディスプレイ等の表示部に画像を表示している。
【先行技術文献】
【特許文献】
【０００３】
【特許文献１】特開２００６−０８６７９５号公報
【発明の概要】
【発明が解決しようとする課題】
【０００４】
しかし、このデジタルカメラにおいて、撮影画像を参照する場合には、液晶ディスプレイ等の表示部に画像が表示されるため、周囲の人に見られる可能性がある。
【０００５】
本発明の目的は、秘密を保持したい画像については、特定の操作者に限り特定の表示部材において視認することができる撮像装置を提供することである。
【課題を解決するための手段】
【０００６】
本発明の撮像装置は、操作者と画像を表示する表示部材との組合せに応じて画像再生の可否を規定するセキュリティ情報が付加された画像データを記憶する画像記憶部と、操作者を識別する識別部と、前記画像データを表示する表示部材を指定する表示部材指定部と、前記識別部により識別された操作者及び前記表示部材指定部により指定された前記表示部材に基づき前記セキュリティ情報を参照して、前記画像データに基づく画像の表示の可否を判定する表示判定部と、前記表示判定部による判定結果に基づいて前記画像データに基づく画像の前記表示部材指定部により指示された前記表示部材に対する表示制御を行う表示制御部とを備えることを特徴とする。
【発明の効果】
【０００７】
本発明の撮像装置によれば、秘密を保持したい画像については、特定の操作者に限り特定の表示部材において視認することができる。
【図面の簡単な説明】
【０００８】
【図１】本発明の実施の形態に係る電子カメラの背面図である。
【図２】本発明の実施の形態に係る電子カメラのシステム構成を示すブロック図である。
【図３】本発明の実施の形態に係る電子カメラにおける画像データに付加されたセキュリティ情報を示す図である。
【図４】本発明の実施の形態に係る電子カメラにおける画像データの再生処理を示すフローチャートである。
【図５】本発明の実施の形態に係る電子カメラにおける画像データに付加されたセキュリティ情報を示す図である。
【図６】本発明の実施の形態に係る電子カメラにおける画像データの再生処理を示すフローチャートである。
【発明を実施するための形態】
【０００９】
以下、図面を参照して本発明の第１の実施の形態に係る撮像装置について電子カメラを例に説明する。図１は、第１の実施の形態に係る電子カメラの背面図である。図１に示すように、電子カメラ２の背面上部には、被写体を目視観察するために用いる若しくは撮影画像を表示する接眼式電子ビューファインダ（以下、ＥＶＦという。）４、ＥＶＦ４の下方近傍に操作者がＥＶＦを覗いていることを検知する接眼センサ５が設けられており、その下方には、撮影画像及び撮影に関する種々の情報などを表示するＬＣＤ表示部６が設けられている。ＬＣＤ表示部６の右側には、操作者の指紋を検出する指紋センサ７、撮影モード等の設定に用いるマルチセレクタ８が設けられており、その内側には、マルチセレクタ８の操作によって選択された項目の決定等の際に押下する決定ボタン８ａが設けられている。また、ＬＣＤ表示部６の左側には、撮影された画像をＬＣＤ表示部６に再生表示させる再生ボタン１０、電子カメラ２における各種設定を行うメニュー画面を表示させるメニューボタン１２が設けられている。また、電子カメラ２の上面には、撮影指示を行うシャッタボタン１４が設けられている。
【００１０】
図２は、第１の実施の形態に係る電子カメラ２のシステム構成を示すブロック図である。電子カメラ２の各部を統括的に制御するＣＰＵ３０には、接眼センサ５、指紋センサ７、撮影レンズを介した被写体光を撮像して撮像信号（蓄積電荷としてのアナログ信号）を生成するＣＣＤ或いはＣＭＯＳ等により構成される撮像素子３２、撮像素子３２から出力された撮像信号を、図示しないＡ／Ｄ変換部においてＡ／Ｄ変換して画像データを生成し、この画像データを一時的に記憶する画像データ記憶部３４、ＥＶＦ４とＬＣＤ表示部６との表示制御を行う表示制御部３６、画像データ記憶部３４に記憶されている画像データに、ホワイトバランス調整、輪郭補償等の画像処理を行なう画像処理部３８、画像データを記憶するメモリカード４０、操作部４２が接続されている。ここで、操作部４２はマルチセレクタ８、再生ボタン１０、メニューボタン１２及びシャッタボタン１４等を含む。なお、撮影した画像データはＥｘｉｆ（Ｅｘｃｈａｎｇａｂｌｅ  ｉｍａｇｅ  ｆｉｌｅ  ｆｏｒｍａｔ）等の所定のファイル形式でメモリカード４０に記憶される。また、各操作者と表示部材の組合せに応じて、画像データの再生の可否を規定するセキュリティ情報は、予め各画像データのタグに書き込まれている。
【００１１】
図３（ａ）〜（ｃ）は画像データのタグに書き込まれたセキュリティ情報を示している。図３（ａ）〜（ｃ）において、「ＥＶＦに再生」はＥＶＦ４において画像再生が可能であることを意味し、「ＬＣＤ表示部に再生」はＬＣＤ表示部６において画像再生が可能であることを意味する。また、「操作者Ａ」、「操作者Ｂ」、「操作者Ｃ」は、予め指紋センサ７により指紋の検出を行い、登録された特定の操作者であり、「その他の操作者」は未登録の操作者である。図３（ａ）に示すように、ファイル名「００１．ＪＰＧ」の画像データのタグには、表示部材、操作者による再生制限がない旨のセキュリティ情報が書き込まれている。即ち、ファイル名「００１．ＪＰＧ」の画像データは、ＥＶＦ４とＬＣＤ表示部６の両方について、特定の操作者及び未登録の操作者による再生が可能である。また、図３（ｂ）に示すように、ファイル名「００２．ＪＰＧ」の画像データのタグには、ＥＶＦ４における再生は、操作者による再生制限はない旨のセキュリティ情報が書き込まれている。即ち、ファイル名「００２．ＪＰＧ」の画像データは、ＥＶＦ４については特定の操作者及び未登録の操作者による再生が可能であるが、ＬＣＤ表示部６においては何れの操作者も再生できない。また、図３（ｃ）に示すように、ファイル名「００３．ＪＰＧ」の画像データのタグには、「操作者Ａ」のみがＥＶＦ４でのみ再生可能である旨のセキュリティ情報が書き込まれている。
【００１２】
次に、図４に示すフローチャートを参照して、第１の実施の形態に係る電子カメラ２における画像データの再生処理について説明する。
【００１３】
ＣＰＵ３０は、指紋センサ７の指紋検出領域に操作者の指先が触れると、指紋センサ７により操作者の指紋を検出し、操作者を識別する（ステップＳ１０）。そして、接眼センサ５により操作者がＥＶＦ４を覗いているか否かを検知する（ステップＳ１１）。ＥＶＦ４を覗いている場合には（ステップＳ１１、Ｙｅｓ）、メモリカード４０に記憶された全ての画像データのファイル名をＥＶＦ４に表示する（ステップＳ１２）。一方、ＥＶＦ４を覗いていない場合には（ステップＳ１１、Ｎｏ）、全ての画像データのファイル名をＬＣＤ表示部６に表示する（ステップＳ１３）。そして、操作者が操作部４２を操作することにより、ＥＶＦ４またはＬＣＤ表示部６に表示されているファイル名の中から再生する画像データのファイル名を選択すると（ステップＳ１４）、選択した画像データに付加されたセキュリティ情報を読み込む（ステップＳ１５）。
【００１４】
ＣＰＵ３０は、操作者がＥＶＦ４を覗いている場合には（ステップＳ１６、Ｙｅｓ）、ステップＳ１４において選択された画像データがＥＶＦ４において再生可能か否かを、セキュリティ情報に基づいて判断する（ステップＳ１７）。即ち、ステップＳ１０において識別された操作者がＥＶＦ４において画像の再生を行うことが可能か否かを判断する。そして、ＥＶＦ４において画像の再生が可能な場合には（ステップＳ１８、Ｙｅｓ）、ＥＶＦ４において画像の再生を行う（ステップＳ１９）。一方、再生できない場合には（ステップＳ１８、Ｎｏ）、画像の再生を行わず、ＥＶＦ４に「再生の権限がありません」等の警告を表示する（ステップＳ２０）。
【００１５】
一方、ステップＳ１６において、ＥＶＦ４を覗いていない場合には（ステップＳ１６、Ｎｏ）、ステップＳ１４において選択された画像データがＬＣＤ表示部６において再生可能か否かを、セキュリティ情報に基づいて判断する（ステップＳ２１）。即ち、ステップＳ１０において識別された操作者がＬＣＤ表示部６において画像の再生を行うことが可能か否かを判断する。そして、ＬＣＤ表示部６において画像の再生が可能な場合には（ステップＳ２２、Ｙｅｓ）、ＬＣＤ表示部６において画像の再生を行う（ステップＳ２３）。一方、再生できない場合には（ステップＳ２２、Ｎｏ）、画像の再生を行わず、ＬＣＤ表示部６に「再生の権限がありません」等の警告を表示する（ステップＳ２４）。
【００１６】
第１の実施の形態に係る電子カメラによれば、画像データのタグに予め書き込まれたセキュリティ情報に基づいて、操作者と表示部材の組合せにより画像の再生を制限することができるため、秘密を保持したい画像については、特定の操作者に限り特定の表示部材において視認することができる。
【００１７】
次に、本発明の第２の実施の形態に係る電子カメラについて説明する。なお、第２の実施の形態に係る電子カメラの外観及びシステム構成は、図１及び図２に示す電子カメラの外観及びシステム構成と同様であるため、詳細な説明を省略する。また、第２の実施の形態に係る電子カメラにおいては、第１の実施の形態に係る電子カメラの構成と同一の構成には同一の符号を用いて説明を行う。
【００１８】
この第２の実施の形態においては、被写体の撮影を行うと同時に、操作者を識別し画像データのタグにセキュリティ情報が書き込まれる。ここで、図５（ａ）〜（ｃ）を参照して撮影時にファイル名「００４．ＪＰＧ」〜「００６．ＪＰＧ」の画像データのタグに書き込まれたセキュリティ情報について説明する。図５（ａ）は、指紋センサ７を用いて識別した操作者が未登録の操作者であった場合に、この未登録の操作者がＬＣＤ表示部６により被写体を観察して撮影した場合のセキュリティ情報である。即ち、ファイル名「００４．ＪＰＧ」の画像データは、ＥＶＦ４とＬＣＤ表示部６の両方について、特定の操作者及び未登録の操作者による再生が可能である。また、図５（ｂ）は、未登録の操作者がＥＶＦ４により被写体を観察して撮影した場合のセキュリティ情報である。即ち、ファイル名「００５．ＪＰＧ」の画像データは、ＥＶＦ４については特定の操作者及び未登録の操作者による再生が可能であるが、ＬＣＤ表示部６においては何れの操作者も再生できない。また、図５（ｃ）は、指紋センサ７を用いて識別した操作者が登録された特定の「操作者Ａ」であった場合に、この登録された特定の「操作者Ａ」がＥＶＦ４により被写体を観察して撮影した場合のセキュリティ情報である。即ち、ファイル名「００６．ＪＰＧ」の画像データは、「操作者Ａ」のみがＥＶＦ４でのみ再生可能である。
【００１９】
次に、図６に示すフローチャートを参照して、第２の実施の形態に係る電子カメラ２における画像データの再生処理について説明する。
【００２０】
ＣＰＵ３０は、指紋センサ７により操作者の指紋を検出し、操作者を識別する（ステップＳ３０）。そして、接眼センサ５により操作者がＥＶＦ４を覗いているか否かを検知する（ステップＳ３１）。ＥＶＦを覗いている場合には（ステップＳ３１、Ｙｅｓ）、メモリカード４０に記憶された画像データの中から、撮影時に画像データに付加されたセキュリティ情報に基づいて、ＥＶＦ４において再生可能な画像データを選択し、この中から、ステップＳ３０において識別された操作者により再生可能な画像データを選択する（ステップＳ３２）。そして、選択された画像データに基づくサムネイル画像をＥＶＦ４に表示する（ステップＳ３３）。一方、ＥＶＦ４を覗いていない場合には（ステップＳ３１、Ｎｏ）、メモリカード４０に記憶された画像データの中から、撮影時に画像データに付加されたセキュリティ情報に基づいて、ＬＣＤ表示部６において再生可能な画像データを選択し、この中からステップＳ３０において識別された操作者により再生可能な画像データを選択する（ステップＳ３４）。そして、選択された画像データに基づくサムネイル画像をＬＣＤ表示部６に表示する（ステップＳ３５）。
【００２１】
操作者が操作部４２を操作することにより、ＥＶＦ４またはＬＣＤ表示部６に表示されたサムネイル画像の中から、再生するサムネイル画像を選択すると（ステップＳ３６）、ＥＶＦ４にサムネイル画像の表示を行っていた場合には、ＥＶＦ４に画像の再生を行い、ＬＣＤ表示部６にサムネイル画像を表示していた場合には、ＬＣＤ表示部６に画像の再生を行う（ステップＳ３７）。
【００２２】
第２の実施の形態に係る電子カメラによれば、撮影時に画像データのタグに書き込まれたセキュリティ情報に基づいて、操作者と表示部材の組合せにより画像の再生を制限することができるため、秘密を保持したい画像については、特定の操作者に限り特定の表示部材において視認することができる。
【００２３】
なお、上述の各実施の形態においては、画像の再生を行うためにＥＶＦ４またはＬＣＤ表示部６を用いているが、１つの視野角の切り替え可能なＬＣＤ表示部を用いてもよい。即ち、ＬＣＤ表示部の視野角を狭く設定した場合には、上述の実施の形態におけるＥＶＦ４と同様に再生された画像を操作者のみが視認することができる。一方、ＬＣＤ表示部の視野角を広く設定した場合には、上述の実施の形態におけるＬＣＤ表示部６と同様に再生された画像を操作者及び他者が視認することができる。
【００２４】
また、上述の各実施の形態においては、指紋により操作者の識別を行っているが、操作者の顔、虹彩若しくは静脈を検出し、操作者を識別してもよい。また、操作者の個人ＩＤを用いて操作者を識別してもよい。
【００２５】
また、上述の各実施の形態においては、セキュリティ情報に基づき、特定の表示部材に対する画像の再生を制限しているが、セキュリティ情報に基づき表示部材に再生された画像データの表示領域を限定してもよい。例えば、表示部材に再生された画像の表示領域において、登録された特定の操作者の顔がある場合には、セキュリティ情報に基づきその顔の領域以外の領域の表示を制限するようにしてもよい。
【００２６】
また、上述の各実施の形態においては、セキュリティ情報により画像の再生を制限しているが、再生だけではなくコピー、編集及び削除を制限してもよい。即ち、画像データのタグに再生、コピー、編集及び削除を制限するセキュリティ情報が書き込まれている場合には、画像データの再生、コピー、編集及び削除を制限する。
【００２７】
また、上述の各実施の形態においては、画像データのタグに、ＥＶＦ４またはＬＣＤ表示部６に対する画像の再生を制限する旨のセキュリティ情報が書き込まれているが、ＥＶＦ４若しくはＬＣＤ表示部６以外に、テレビの画面、ビデオカメラの表示部若しくはパソコンのディスプレイについて、画像の再生を制限する旨のセキュリティ情報の書き込みを行ってもよい。
【００２８】
また、上述の第２の実施の形態において、撮影時に被写体の観察に用いた表示部材に応じて、撮影された画像データの保存先を切り替えてもよい。即ち、ＥＶＦ４を用いて撮影が行われた場合には、ＥＶＦ４を用いて撮影された画像データのみを保存するメモリカード４０の所定のフォルダに保存する。また、ＬＣＤ表示部６を用いて撮影が行われた場合には、ＬＣＤ表示部６を用いて撮影された画像データのみを保存するメモリカード４０の所定のフォルダに保存する。
【００２９】
また、上述の第２の実施の形態において、撮影時に画像データのタグに書き込みが行われたセキュリティ情報について変更等の編集を可能としてもよい。例えば、画像データのタグには、特定の操作者である「操作者Ａ」は再生可能であるが、「操作者Ａ」以外の操作者は再生することができない旨のセキュリティ情報が書き込まれている場合に、操作者が操作部４２を操作することにより、特定の操作者である「操作者Ｂ」は再生可能であるが、「操作者Ｂ」以外の操作者は再生することができない旨のセキュリティ情報等に変更できるようにしてもよい。
【産業上の利用可能性】
【００３０】
本発明は、電子カメラ等の撮像装置に利用することができる。
【符号の説明】
【００３１】
２…電子カメラ、４…ＥＶＦ、５…接眼センサ、６…ＬＣＤ表示部、７…指紋センサ、３０…ＣＰＵ、３２…撮像素子、３４…画像データ記憶部、３８…画像処理部、４２…操作部。
【図１】
2011091741.tif 000003
【図２】
2011091741.tif 000004
【図３】
2011091741.tif 000005
【図４】
2011091741.tif 000006
【図５】
2011091741.tif 000007
【図６】
2011091741.tif 000008